(57)【要約】      （修正有）【課題】作業者が片手で保持して確実に且つ高能率な交配作業ができる無動力花粉供給機構を備えた花粉交配具の提供。【解決手段】可撓性を有する花粉容器１と、着脱自在に螺合する密閉蓋２と、密閉蓋２の中心部を貫通し花粉容器１に挿入された通気管３と、通気管３の先端に連結された容器内給排気管５と、上部に延長された通気管３の先端に連結された花粉噴出管６と、花粉噴出管６を囲んで挿通され通気管３に着脱自在に嵌着された羽根交配部材４とから構成し、花粉容器１を把持した手を握り締めることにより、容器内の空気と共に収容した花粉を花粉噴出管６から羽根交配部材４に噴射させ、握り締めた手を通常把持状態に戻すことにより原形に復元する容器に吸引される空気を容器内給排気管５から容器内に噴射させ、容器内の葯付き粗花粉１０を撹拌し純花粉を分離させることを特徴とする。【選択図】図２
0003124575.tif 000002
【実用新案登録請求の範囲】
【請求項１】
所定容量で可撓性を有する合成樹脂製の円筒形状の花粉容器と、該花粉容器の口部に着脱自在に螺合する密閉蓋と、密閉蓋の中心部を貫通し花粉容器に挿入された通気管と、
花粉容器に挿入された通気管の先端に連結された容器内給排気管と、密閉蓋の上部に延長された通気管の先端に連結された花粉噴出管と、
前記花粉噴出管を囲んで挿通され通気管に着脱自在に嵌着された羽根交配部材とから構成し、
前記花粉容器を把持した手を握り締めることにより、容器内の空気と共に収容した花粉を花粉噴出管から羽根交配部材に噴射させ、握り締めた手を通常把持状態に戻すことにより原形に復元する容器に吸引される空気を容器内給排気管から容器内に噴射させ、容器内の葯付き粗花粉を撹拌し純花粉を分離させることを特徴とする花粉交配具。
【請求項２】
前記容器内給排気管は、通気管に連結リングを介して着脱自在に連通され、閉塞された先端部の円周面に所定間隔で均等に配置された複数の給排気孔を穿設し、該給排気孔を囲む管の外周に円筒状の金網で形成された篩金網を設け、葯付きの粗花粉から、花粉のみの純花粉を篩い出し、通気管を介して花粉噴出管から羽根交配部材に噴射させることを特徴とする請求項１記載の花粉交配具。
【請求項３】
前記花粉噴出管は、通気管に連結リングを介して着脱自在に連通され、閉塞された先端部の円周面に所定間隔で均等に配置された複数の噴出孔を穿設し、該噴射孔を囲む管の外周に、該噴出孔から噴射される花粉交じり空気を上方の前記羽根交配部の全面に放射させる方向に誘導する漏斗状の拡散管が設けられていることを特徴とする請求項１記載の花粉交配具。
【請求項４】
前記羽根交配部材は、前記花粉噴出管が連結された通気管に着脱自在に挿嵌固定される固定ゴム輪を備えた羽根止めリングと、該羽根止めリングの上面に所定間隔で均等に植え込まれたダチョウの羽根を含む大型鳥類の複数の羽根とから構成し、羽根交配部材の中央空洞間隙に配置された花粉噴出管から噴射された花粉を羽根の羽毛全体で受け止め付着させ、複数の開花した花器の雌しべの柱頭に花粉を接触付着させることを特徴とする請求項１記載の花粉交配具。
【請求項５】
前記通気管の花粉容器収納部分に並行し、上部が密閉蓋近傍に蓋網を備えて開口し、下部が容器内給排気管の先端近傍に管径を絞られた開口を備えた容器内通気管をさらに設け、前記花粉容器を把持した手を握り締めることにより、容器内の空気が圧縮されたとき、その圧縮空気を該容器内通気管を介して前記給排気孔近傍に噴出させることにより充填された葯付き花粉の撹拌と分離を行うことを特徴とする請求項１及び２記載の花粉交配具。
【考案の詳細な説明】
【技術分野】
【０００１】
本考案は、人口受粉を必要とする果樹の花粉交配作業に用いる花粉交配具に関する。
【背景技術】
【０００２】
従来、梨など人工授粉を必要とされる果樹の人口受粉は、竹棒に羽毛をつけた梵天に、花粉を付けて開花した花器の一つ一つに接触させて花粉を受粉させる方法がとられていた。この様な方法が最も確実な方法であるが、非常に手間がかかる作業であった。
【０００３】
これらの作業の能率を高め、確実に行うために、特許文献１の発明が提案されている。この発明は、花粉収納部に収容された花粉を、花粉分散部により所定量ずつ送出し、送風により花粉搬送部を介して花粉交配具を供えた花粉交配部に花粉を供給するものであった。
【０００４】
しかし、電動モータによる送風機構、花粉分離機構を備え、複雑な構造であるため、重量があり、肩に担いで操作しなければならない問題があった。従来の梵天に比べて大きな花粉交配部を備えていることから、交配作業の能率は従来の３〜５倍程度となる効果はあるものの、装置が高価であるため、２〜３日の短期間の開花期に作業を終了させねばならない梨園において、作業者の必要台数をそろえることは設備費用がかかりすぎる問題があった。
【０００５】
また、これらの装置に用いる花粉は、葯から精製した純花粉を用いなければならず、花粉精製機や花粉混合機などの装置を備えなければならなかった。
【０００６】
【特許文献１】特開２００４−１３５５６８号公報（第２、３頁、図第１図）
【考案の開示】
【考案が解決しようとする課題】
【０００７】
本考案は、作業者が片手で保持して確実に且つ高能率な交配作業ができる無動力花粉供給機構を備えた花粉交配具の提供を課題とする。
【課題を解決するための手段】
【０００８】
前記課題を解決するため、本考案の花粉交配具は、所定容量で可撓性を有する合成樹脂製の円筒形状の花粉容器と、該花粉容器の口部に着脱自在に螺合する密閉蓋と、密閉蓋の中心部を貫通し花粉容器に挿入された通気管と、
花粉容器に挿入された通気管の先端に連結された容器内給排気管と、密閉蓋の上部に延長された通気管の先端に連結された花粉噴出管と、
前記花粉噴出管を囲んで挿通され通気管に着脱自在に嵌着された羽根交配部材とから構成し、
前記花粉容器を把持した手を握り締めることにより、容器内の空気と共に収容した花粉を花粉噴出管から羽根交配部材に噴射させ、握り締めた手を通常把持状態に戻すことにより原形に復元する容器に吸引される空気を容器内給排気管から容器内に噴射させ、容器内の葯付き粗花粉を撹拌し純花粉を分離させることを特徴とする。
【０００９】
また、前記容器内給排気管は、通気管に連結リングを介して着脱自在に連通され、閉塞された先端部の円周面に所定間隔で均等に配置された複数の給排気孔を穿設し、該給排気孔を囲む管の外周に円筒状の金網で形成された篩金網を設け、葯付きの粗花粉から、花粉のみの純花粉を篩い出し、通気管を介して花粉噴出管から羽根交配部材に噴射させることを特徴とする。
【００１０】
また、前記花粉噴出管は、通気管に連結リングを介して着脱自在に連通され、閉塞された先端部の円周面に所定間隔で均等に配置された複数の噴出孔を穿設し、該噴射孔を囲む管の外周に、該噴出孔から噴射される花粉交じり空気を上方の前記羽根交配部の全面に放射させる方向に誘導する漏斗状の拡散管が設けられていることを特徴とする。
【００１１】
また、前記羽根交配部材は、前記花粉噴出管が連結された通気管に着脱自在に挿嵌固定される固定ゴム輪を備えた羽根止めリングと、該羽根止めリングの上面に所定間隔で均等に植え込まれたダチョウの羽根を含む大型鳥類の複数の羽根とから構成し、羽根交配部材の中央空洞間隙に配置された花粉噴出管から噴射された花粉を羽根の羽毛全体で受け止め付着させ、複数の開花した花器の雌しべの柱頭に花粉を接触付着させることを特徴とする。
【００１２】
また、前記通気管の花粉容器収納部分に並行し、上部が密閉蓋近傍に蓋網を備えて開口し、下部が容器内給排気管の先端近傍に管径を絞られた開口を備えた容器内通気管をさらに設け、前記花粉容器を把持した手を握り締めることにより、容器内の空気が圧縮されたとき、その圧縮空気を該容器内通気管を介して前記給排気孔近傍に噴出させることにより充填された葯付き花粉の撹拌と分離を行うことを特徴とする。
【考案の効果】
【００１３】
本考案の花粉交配具によれば、従来の梵天型の用具に比べ４〜５倍効率よく確実な受粉作業を行うことができ、また、電気モータなどの動力を用いる従来の花粉交配機に比べても、小型で軽量であるため作業性に優れるため同等以上の作業効率を上げることができ、むしろ、作業疲労を軽減することができる。
【００１４】
また、動力を要しないため、故障がなく維持管理が容易であり、且つ必要量の花粉を間歇的に供給補充するため花粉の無駄を最小とすることができる。
【００１５】
さらに、花粉交配具が、単純な構成であるため、低コストで製作可能であり、作業者それぞれに配布利用させることができる。このことから、短期間の開花期の作業を低い設備投資で、効率よく実施することができる。
【考案を実施するための最良の形態】
【００１６】
以下、図面を参照して本考案の花粉交配具の実施の形態を詳細に説明する。
【００１７】
図１は、本考案の花粉交配具の全体構成を示す斜視図である。
【００１８】
花粉交配具１００は、所定容量で可撓性を有する合成樹脂製の円筒形状の花粉容器１と、該花粉容器１の口部に着脱自在に螺合する密閉蓋２と、密閉蓋２の中心部を貫通し花粉容器１に挿入された通気管３と、通気管３に着脱自在に嵌着された羽根交配部材４とから構成されている。
【００１９】
花粉容器１は、作業時間分の交配用花粉を収容した上で、容器を握り締めた際に花粉噴出及び花粉撹拌のために内部空気を排出、吸気できる間隙空間を有する所定容量を有し、握り締めた際に内部空気を排出し、握り締めを解除したとき原形に復元する可撓性の合成樹脂で形成する。
【００２０】
図１は、花粉の粘着性を低くして適度の密度にさせる増量剤と葯付きの粗花粉との混合物である花粉１０を花粉容器１に収容した状態を示す。
【００２１】
密閉蓋２は花粉容器１の口部に着脱自在に螺合されており、密閉蓋２の中心部を貫通する通気管３を保持している通気管支持部材２ａと共に回動させて花粉容器１からはずして、葯付き花粉及び増量剤を充填する。
【００２２】
前記羽根交配部材４は、通気管３に着脱自在に挿嵌固定される固定ゴム輪４ｃを備えた羽根止めリング４ｂと、該羽根止めリング４ｂの上面に所定間隔で均等に植え込まれたガチョウの羽根を含む大型鳥類の複数の羽根４ａとから構成されている。
【００２３】
図２は、本考案の花粉交配具の要部を断面視した斜視図である。図２を参照して、通気管３の上下に連結された部材について説明する。
【００２４】
通気管３は、軽量な金属製のパイプであり、花粉容器１の握り締めにより出入りする給排気を通気させる内径５〜７ｍｍを有し、作業者が把持する花粉容器から上方に３０〜６０センチ延出し、先端を開花した花器に向けやすいよう角度を付けて曲げられ、一方、容器内の下端も、作業者が花粉容器１を斜めに把持したとき、花粉容器１の下方になる側面に向けて角度を付けて曲げられている。
【００２５】
花粉容器１に挿入された通気管３の先端には、連結リング３ａを介して着脱自在に容器内給排気管５が連結され、密閉蓋２の上部に延長された通気管３の先端には、同様に連結リンクを介して着脱自在に花粉噴出管６が連結されている。
【００２６】
前記容器内給排気管５は、通気管３に連結リングを介して着脱自在に連通され、閉塞された先端部の円周面に所定間隔で均等に配置された複数の給排気孔５ａを穿設し、該給排気孔５ａを囲む管の外周に円筒状の金網で形成された篩金網５ｂが設けられている。
【００２７】
図５は、本考案の容器内給排気管５の実施の形態を示す斜視図である。容器内給排気管５の先端は閉塞蓋５ｄで閉塞され、篩金網５ｂは容器内給排気管５に挿嵌された固定リング５ｃに前後を挟まれるように固定されている。
この構成により、花粉容器１に収容された葯付きの粗花粉１０から、花粉のみの純花粉を篩い出し、通気管３を介して羽根交配部材４に噴射させる。
【００２８】
前記花粉噴出管６は、通気管３に連結リング３ａを介して着脱自在に連通され、閉塞された先端部の円周面に所定間隔で均等に配置された複数の噴出孔６ａを穿設し、該噴射孔６ａを囲む管の外周に、該噴出孔６ａから噴射される花粉交じり空気を上方の前記羽根交配部４の全面に放射させる方向に誘導する漏斗状の拡散管６ｂが設けられている。
【００２９】
図６は、本考案の花粉噴出管６の実施の形態を示す斜視図である。図示のように、花粉噴出管６の先端は閉塞蓋６ｃで閉塞側され、端部が漏斗状に拡げられた拡散管６ｂが挿嵌合されている。
【００３０】
なお、容器内給排気管５及び花粉噴出管６は、小さな複数の孔が穿設されており、微粉末の花粉が詰まることがあるので、通気管３から着脱して目詰まり、また格納時の清掃を容易に行えるようにしている。
【００３１】
次に、図３及び図４を参照して、本考案の花粉交配具１００の動作を説明する。
【００３２】
図３は、本考案の花粉交配具を把持して握り締め花粉を噴出させた状態を示す断面斜視図である。
【００３３】
図に示すように、花粉容器１を把持している手を握り締めて、花粉容器１を圧縮すると、内部の空気が容器内給排気管５先端の給排気孔５ａから通気管３を介して外部に排出される。その排出される空気は、周囲の葯付き花粉１０を篩金網で濾して、微細な純花粉と増量剤の混合物を混合気として排出する。
【００３４】
花粉交じりの空気Ａは、通気管３を介して連結された花粉噴出管６の先端の噴出孔６ａから周囲に勢い良く噴出され、漏斗状に拡げられた拡散管６ｂは、噴出された花粉混じり空気を上方に拡散して放射させ、羽根交配部材４の羽根４ａの羽毛全体に行き渡らせる。
【００３５】
このように、花粉噴出管６は羽根交配部材４の中央空隙間隙に配設されているので、花粉は、羽根４の枝分かれした羽毛に広く付着させることができる。
【００３６】
このため、本考案の実施の形態では、枝先に着いた複数の花器に対して同時に接触させることができ、交配作業のを確実に且つ能率よく行うことができる。
【００３７】
図４は、図３に続き、握り締めを解除した状態を示す断面斜視図である。図３に示したように花粉容器１を握り締めた後、握り締めた手を通常把持状態に戻すと、花粉容器１は原形に復元して通気管３を介して外気Ｂを吸い込む動作をする。
【００３８】
この外気Ｂは、容器内給排気管５の給排気孔５ａから勢い良く噴出されるので、花粉容器１内に収容された葯付き花粉１０を撹拌し、純花粉を分離させる動きをする。
【００３９】
なお、葯付き花粉の撹拌・分離は、さらに交配作業中の作業者の手の動きによる遥動で、ある程度行われる。
【００４０】
図７は、本考案の第２の実施の形態に用いる容器内通気管を示す断面図であり、図８は、本考案の第２の実施の形態に用いる容器内通気管を示す斜視図である。
【００４１】
この実施の形態では、前記通気管３の花粉容器１収納部分に並行し、上部が密閉蓋２近傍に蓋網７ａを備えて開口し、下部が容器内給排気管５の先端近傍に管径を絞られた開口７ｂを備えた容器内通気管７をさらに設けている。容器内通気管７は通気管３及び容器内給排気管５に連結帯７ｃで連結固定されている。
【００４２】
前記花粉容器１を把持した手を握り締めることにより、容器内の空気が圧縮されたとき、その圧縮空気を該容器内通気管７を介して前記給排気孔５ａ近傍に噴出させることにより充填された葯付き花粉の撹拌と分離を行うことができる。
【００４３】
このように、容器内通気管７を付設することによれば、花粉容器１に収容する葯付き花粉の量が多い場合、例えば、花粉の充填回数を減らすために多量に充填した場合でも、容器内の空気を勢い良く給排気孔５ａから噴出させることができる。
【００４４】
なお、花粉容器１への花粉充填量は、手の握り締めにより排気、吸気させる容積を、余裕を持って確保した分量が望ましく、その場合、花粉容器に通常作業の作業休憩までの２時間を目安に充填し、作業による消費状況から、交配作業を管理しても良い。
【００４５】
前記羽根交配部材４に用いる羽根は、適度な長さと、やわらかい羽毛を有するダチョウの羽根を用いることが望ましい。
【図面の簡単な説明】
【００４６】
【図１】本考案の花粉交配具の全体構成を示す斜視図である。
【図２】本考案の花粉交配具の要部を断面視した斜視図である。
【図３】本考案の花粉交配具を把持して握り締め花粉を噴出させた状態を示す断面斜視図である。
【図４】図３に続き、握り締めを解除した状態を示す断面斜視図である。
【図５】本考案の容器内給排気管の実施の形態を示す斜視図である。
【図６】本考案の花粉噴出管の実施の形態を示す斜視図である。
【図７】本考案の第２の実施の形態に用いる容器内通気管を示す断面図である。
【図８】本考案の第２の実施の形態に用いる容器内通気管を示す斜視図である。
【符号の説明】
【００４７】
１    花粉容器
２    密閉蓋
２ａ  通気管支持部材
３    通気管
３ａ  連結リング
４    羽根交配部材
４ａ  羽根
４ｂ  羽根止めリング
４ｃ  固定ゴム輪
５    容器内給排気管
５ａ  給排気孔
５ｂ  篩金網
５ｃ  固定リング
５ｄ  閉塞蓋
６    花粉噴出管
６ａ  噴出孔
６ｂ  拡散管
６ｃ  閉塞蓋
７    容器内通気管
７ａ  蓋網
７ｂ  開口
７ｃ  連結帯
１０    花粉（葯付き花粉）
１００    花粉交配具
Ａ    花粉交じり空気
Ｂ    外気
【図１】
0003124575.tif 000003
【図２】
0003124575.tif 000004
【図３】
0003124575.tif 000005
【図４】
0003124575.tif 000006
【図５】
0003124575.tif 000007
【図６】
0003124575.tif 000008
【図７】
0003124575.tif 000009
【図８】
0003124575.tif 000010